(57)【要約】【課題】加熱用ヒータに流す電流を均一にする際に、交流電流が正方向に流れる正の半波と、交流電流が逆方向に流れる負の半波が均一にすることにより、交流電流に対して直流成分が生じたり、制御回路とヒータを接続しているコネクタの接点に一定方向の電流が流れたり、電流波形の歪みが大きくなることを軽減することを目的としている。【解決手段】交流電流が供給されて加熱する加熱体を有し、交流電流の電流波形の半波ごとに加熱体の通電・非通電の切り替えを制御する電力制御手段を有し、加熱体に供給されるそれぞれの電力量に応じて、所定半波数を１制御単位として、通電・非通電の切り替えのパターンを設定した複数の単位パターンを有し、通電数が奇数になる単位パターンを有していても交流電流が正方向に流れる正の半波と、交流電流が逆方向に流れる負の半波とを等しくする通電対称制御を用いた。【選択図】        図１
2006235305.tif 000002
【特許請求の範囲】
【請求項１】
記録紙を給紙部から排紙部まで搬送する搬送手段と、前記搬送中の記録紙上に直接または間接に未定着トナー画像を形成する画像形成手段と、前記記録紙上に形成された未定着トナー画像を該記録紙上に加熱定着する加熱定着手段を有する画像形成装置において、交流電流が供給されて加熱する加熱体を有し、交流電流の電流波形の半波ごとに加熱体の通電・非通電の切り替えを制御する電力制御手段を有し、加熱体に供給されるそれぞれの電力量に応じて、所定半波数を１制御単位として、通電・非通電の切り替えのパターンを設定した複数の単位パターン（通電パターン）を設け、単位パターンを繰り返すことによって所定の電力量を得る電力制御手段を有し、交流電流が正方向に流れる正の半波の波数と、交流電流が逆方向に流れる負の半波の波数とを等しくする通電対称制御を有することを特徴とする画像形成装置。
【請求項２】
請求項１の画像形成装置において、前記通電対称制御は、単位パターンのうち通電半波数が偶数であるパターンを選択した場合は、所定半波数を１制御単位とし、一方奇数であるパターンを選択した場合は、通電半波数を加算あるいは減算して偶数にし、通電半波数を偶数にしたことに対して電力量が一致するような１制御単位あたりの半波数を算出する１制御単位半波数算出手段を有し、１制御単位半波数算出手段により算出された半波数を１制御単位として制御することを特徴とした画像形成装置。
【請求項３】
請求項１の画像形成装置において、前記複数の単位パターンのうち奇数であるパターンは、それぞれ２種類のパターンを有し、前記２種類のパターンのうち一方は交流電流が正方向に流れる正の半波の波数が負方向に流れる負の半波の波数より１半波分多いパターンを有し、もう一方は負の半波の波数が正の半波の波数より１半波分多いパターンを有し、電力制御中に奇数であるパターンが選択された場合、２種類のパターンを交互に実行することを特徴とする画像形成装置。
【請求項４】
請求項１または請求項３記載の画像形成装置において、前記通電対称制御は、前記電力制御が開始から終了までの間に、奇数であるパターンを選択された数が奇数回であったかを判定する奇数であるパターン選択回数判定手段を有し、電力制御終了時に前記奇数であるパターン選択回数判定手段によって選択された奇数であるパターン数が奇数回と判定された場合、電力制御終了直後に１半波通電することを特徴とした画像形成装置。
【請求項５】
請求項４記載の画像形成装置において、奇数であるパターン選択回数判定手段は、奇数であるパターンが選択された数をカウントする奇数であるパターンカウント手段を有し、電力制御終了時に奇数であるパターンカウント手段によってカウントされたカウント数が奇数回かどうかを判定することを特徴とする画像形成装置。
【請求項６】
請求項４記載の画像形成装置において、奇数であるパターン選択回数判定手段は、奇数であるパターンが選択された場合にフラグを反転する奇数であるパターン反転フラグを有し、電力制御終了時に奇数であるパターン反転フラグの状態で奇数であるパターンが奇数回選択されたかを判定することを特徴とする画像形成装置。
【請求項７】
請求項１〜６のいずれか記載の画像形成装置は、レーザビームプリンタであることを特徴とする画像形成装置。
【発明の詳細な説明】
【技術分野】
【０００１】
本発明はプリンタもしくは複写機等の画像形成装置に関し、特に定着器に用いられる制御に関するものである。
【背景技術】
【０００２】
従来、例えば、電子写真方式の複写機・レーザビームプリンタ等の画像形成装置において、被記録材（転写材・感光紙・静電記録紙・印字用紙など）の面に転写（間接）方式あるいは直接方式で形成担持させた未定着顕画剤像（トナー像）を熱定着させる加熱装置（加熱定着装置）には、例えばオンデマンド方式のものが知られている。オンデマンド方式の加熱装置は、加熱部材として、セラミックヒータ等の低熱容量の加熱用ヒータと、これに摺動する耐熱性フィルム（定着フィルム）を用いる。前記加熱用ヒータに通電することで定着フィルムと加圧ローラが加熱され、定着フィルムの表面温度を検知するセンサの出力が温度コントローラに入力され、加熱用ヒータがＯＮ／ＯＦＦされて、所定の温度が維持される。加圧部材としての加圧ローラを該定着フィルムを介して加熱用ヒータに圧接させて加熱ニップ部（定着ニップ部）を形成させ、該定着ニップ部の定着フィルムと加圧ローラの間に未定着トナー像を形成担持させた被記録材を通紙して挟持搬送させる。定着フィルムを介した加熱用ヒータからの熱により未定着トナー像のトナーを融解させて被記録材面に画像定着させるものである。加熱ヒータに流す電流は、商用電源の１波長の半サイクル（半波）ごとに通電・非通電の制御を行い温度センサの値に応じて制御プログラムが電力を計算し、それに応じてトライアックをＯＮ／ＯＦＦすることにより制御する。フィルム加熱方式の加熱装置は数多く提案され、実用化されている（例えば、特許文献１〜特許文献１７参照。）。
【特許文献１】特開昭６３−３１３１８２号公報
【特許文献２】特開平１−２６３６７９号公報
【特許文献３】特開平２−１５７８７８号公報
【特許文献４】特開平４−４４０７５公報
【特許文献５】特開平４−４４０７６号公報
【特許文献６】特開平４−４４０７７号公報
【特許文献７】特開平４−４４０７８号公報
【特許文献８】特開平４−４４０７９号公報
【特許文献９】特開平４−４４０８０号公報
【特許文献１０】特開平４−４４０８１号公報
【特許文献１１】特開平４−４４０８２号公報
【特許文献１２】特開平４−４４０８３号公報
【特許文献１３】特開平４−２０４９８０号公報
【特許文献１４】特開平４−２０４９８１号公報
【特許文献１５】特開平４−２０４９８２号公報
【特許文献１６】特開平４−２０４９８３号公報
【特許文献１７】特開平４−２０４９８４号公報
【発明の開示】
【発明が解決しようとする課題】
【０００３】
しかしながら、加熱用ヒータに流す電流を均一にする際に、交流電流が正方向に流れる正の半波と、交流電流が逆方向に流れる負の半波が均一でない場合、交流電流に対して直流成分が生じてしまい、商用電源のトランスが発熱する、制御回路とヒータを接続しているコネクタの接点に一定方向の電流が流れ接点部に対してマイグレーションなどの影響を与え耐久性が落ちる、あるいは、両用電源の電圧波形は正弦波であるが、負荷が大きくなり電流波形に歪みが大きくなる。
【０００４】
本発明は上記の従来技術の課題を解決するためになされたもので、その目的とするところは、交流電流が正方向に流れる正の半波と、交流電流が逆方向に流れる負の半波を均一にする制御を提供する。
【課題を解決するための手段】
【０００５】
上記目的を達成するため請求項１にかかる発明は、記録紙を給紙部から排紙部まで搬送する搬送手段と、前記搬送中の記録紙上に直接または間接に未定着トナー画像を形成する画像形成手段と、前記記録紙上に形成された未定着トナー画像を該記録紙上に加熱定着する加熱定着手段を有する画像形成装置において、交流電流が供給されて加熱する加熱体を有し、交流電流の電流波形の半波ごとに加熱体の通電・非通電の切り替えを制御する電力制御手段を有し、加熱体に供給されるそれぞれの電力量に応じて、所定半波数を１制御単位として、通電・非通電の切り替えのパターンを設定した複数の単位パターンを設け、単位パターンを繰り返すことによって所定の電力量を得る電力制御手段を有し、交流電流が正方向に流れる正の半波と、交流電流が逆方向に流れる負の半波とを等しくする通電対称制御を有することを特徴とする。
【０００６】
さらに請求項２にかかる発明は、請求項１記載の画像形成装置において、前記通電対称制御は、単位パターンのうち通電半波数が偶数であるパターンを選択した場合は、所定半波数を１制御単位とし、一方奇数であるパターン（以下、奇数通電パターンと称す）を選択した場合は、通電半波数を加算あるいは減算して偶数にし、通電半波数を偶数にしたことに対して電力量が一致するような１制御単位あたりの半波数を算出する１制御単位半波数算出手段を有し、１制御単位半波数算出手段により算出された半波数を１制御単位とすることを特徴とする。
【０００７】
さらに請求項３にかかる発明は、請求項１記載の画像形成装置において、前記複数の単位パターンのうち奇数通電パターンは、それぞれ２種類のパターンを有し、前記２種類のパターンのうち一方は交流電流が正方向に流れる正の半波が負方向に流れる負の半波より１半波分多いパターンを有し、もう一方は負の半波の波数が正の半波の波数より１半波分多いパターンを有し、電力制御中に奇数通電パターンが選択された場合、２種類のパターンを交互に実行することを特徴とする。
【０００８】
さらに請求項４にかかる発明は、請求項１または請求項３記載の画像形成装置において、前記通電対称制御は、前記電力制御が開始から終了までの間に、奇数通電パターンを選択された数が奇数回であったかを判定する奇数通電パターン選択回数判定手段を有し、電力制御終了時に前記奇数通電パターン選択回数判定手段によって選択された奇数通電パターン数が奇数回と判定された場合、電力制御終了直後に１半波通電することを特徴とする。
【０００９】
さらに請求項５にかかる発明は、請求項４記載の画像形成装置において、奇数通電パターン選択回数判定手段は、奇数通電パターンが選択された数をカウントする奇数通電パターンカウント手段を有し、電力制御終了時に奇数通電パターンカウント手段によってカウントされたカウント数が奇数回かどうかを判定することを特徴とする。
【００１０】
さらに請求項６にかかる発明は、請求項４記載の画像形成装置において、奇数通電パターン選択回数判定手段は、奇数通電パターンが選択された場合にフラグを反転する奇数通電パターン反転フラグを有し、電力制御終了時に奇数通電パターン反転フラグの状態で奇数通電パターンが奇数回選択されたかを判定することを特徴とする。
【００１１】
さらに請求項７にかかる発明は、請求項１〜６のいずれか記載の画像形成装置は、レーザビームプリンタであることを特徴とする。
【発明の効果】
【００１２】
本発明によれば、消費する交流電流に直流成分をふくまなくなり、電源設備のトランスの異常発熱を防止することができる。また、加熱体と制御回路を接続するコネクタの接点部に生じるマイグレーションを防止することができる。さらに、負荷が小さくなることにより、電流波形の歪みが小さくなり電力効率を向上させることができる。また、請求項３記載のように、種類のパターンのうち一方は交流電流が正方向に流れる正の半波が負方向に流れる負の半波より１半波分多いパターンを有し、もう一方は負の半波の波数が正の半波の波数より１半波分多いパターンを有し、電力制御中に奇数通電パターンが選択された場合、２種類のパターンを交互に実行することにより、偶数、奇数の通電パターンによらず所望の電力の切り替え周期（１制御単位）で制御を行うことが可能であるため、応答性のよい電力制御が実現できる。
【発明を実施するための最良の形態】
【００１３】
以下に、本発明の実施の形態を、実施例に基づき、図面を参照して詳細に説明する。
【実施例１】
【００１４】
図１は、本発明に関する構成を示すブロック図である。２００はレーザビームプリンタの本体主制御部（ヒータ制御手段）、２０７はレーザビームプリンタの交流電源ユニット、２０９はレーザビームプリンタの加熱定着器（加熱定着手段）である。本主制御部はゼロクロス検出手段２０１、定着温調制御手段２０２、Ａ／Ｄポート（Ａ／Ｄコンバータ）２０３を有している。交流電源ユニットは電源２０６、ヒータ駆動回路（ヒータ制御手段）２０４、定着ヒータ回路を開閉するスイッチ（トライアック）２０８、ゼロクロス検知回路２０５を有している。加熱定着器は定着ヒータ２１０、定着器温度検出手段２１１を有している。
【００１５】
図２はタンデム型カラー画像の模式的側断面図である。タンデム型カラー画像形成装置は、図２に示すように、本体装置の下部に転写材カセット１５０にセットされた転写材が給紙ローラ１５１によって一枚毎取り出され、ロール対１４０によって画像形成部に給送される。画像形成部には、転写材を搬送する転写搬送ベルト１１ａが、複数の回転ローラによって転写材搬送方向（図の下から上方向）に扁平に張設され、その最上流部においては、バイアスを印加した吸着ローラ１５３によって、転写材を転写搬送ベルト１１ａに静電吸着させる。またこのベルト搬送面に対向して４個のドラム状の像担持体（以下、感光体ドラムと記す）１０１Ｃ、１０１Ｙ、１０１Ｍ、１０１Ｂｋが直線状に配設されており、画像形成部を構成している。それぞれの感光体ドラム１０１Ｃ、１０１Ｙ、１０１Ｍ、１０１Ｂｋには、その周面近傍を順次取り囲んで、帯電器、現像器、転写搬送ベルト１１ａの搬送面を挟んで転写部材（以下、転写ローラ）が配置されている。そして、前記各現像器には、転写材の搬送方向上流側（図１の下方）からＣ（シアン）、Ｙ（イエロー）、Ｍ（マゼンタ）、Ｂｋ（ブラック）の各色トナーがそれぞれ収容されており、各色画像が転写搬送ベルト１１ａで搬送される転写材に順次転写されることでカラー画像が形成される。この転写材が装置上側に位置する定着手段１５２に搬送されて画像定着されて排出される。
【００１６】
図３は加熱定着器の断面図である。１５４・１５５は互いに当接させて定着ニップ部（加熱ニップ部）Ｎを形成させた定着部材１５４（加熱部材）と加圧部材１５５である。定着部材１５４は、加熱体１５７（加熱用ヒータ）、加熱体ホルダ１５６、円筒状の耐熱性フィルム１５８（定着フィルム）等から構成されている。加圧部材１５５は弾性加圧ローラである。この弾性加圧ローラ３０は、不図示の軸受部材に保持させ、加熱体ホルダ１５６の下面側に固定支持させたヒータ１５７の下向き表面に対して定着フィルム１５８を挟ませて、不図示の加圧手段により長手方向両端部から加熱定着に必要な定着ニップ部Ｎを形成するべく十分に加圧されている。１５９はヒータホルダに空洞部を設け、配設したサーミスタ等の温度検知素子（以下、サーミスタと記す）であり、発熱体層１５７の発熱に応じて昇温した温度を検知する。
【００１７】
図４は商用電源の電圧とヒータの電流波形の関係を示しており、商用電源の電圧の０Ｖ部での立ち上がり、立下りエッジでゼロクロス信号を出力する。定着温調制御部はＡ／Ｄポートより検知した温度情報によりヒータの通電量を計算し、通電量とゼロクロス信号によりヒータ制御信号を出力する。また、ヒータ制御信号が“ＨＩＧＨ”レベルのときヒータに通電する電流する電流を流すように制御する。
【００１８】
図５は、ヒータに通電する通電テーブルとヒータの消費電力の関係を示した図である。ヒータの発熱量を１７段階（０％〜１００％）に分け、ヒータの通電量が制御できるように１制御単位を８波（１６半波）に設定した単位パターン（通電パターン）を設定する。ヒータの温度を読み込んで所望の温度になるようにヒータの通電量を決定し、その制御単位パターンに従って制御信号をＯＮ／ＯＦＦし、ヒータに流す電流を制御する。図中のｎは１６半波中通電する数を示しており、図中の出力Ｐ（％）はＰ＝ｎ／１６×１００で計算される電力量を示している。図中のｍは、１６半波中ｍ番目の半波を示している。例えば、電力５０％通電させる場合、図の塗りつぶしたタイミング（１６半波のうち１半波目、３半波目、６半波目、７半波目、１０半波目、１３半波目、１４半波目、１６半波目）でＯＮして、１６半波のうち８半波通電する。このとき、ゼロクロスの立下りエッジからスタートした場合には、黒く塗りつぶされた箇所は負の半波を、灰色にぬりつぶされた箇所は正の半波を出力することを示している。
【００１９】
しかしながら、図５の制御単位パターンのように、通電半波数が奇数であるパターンが使用された場合、交流電流が正方向に流れる正の半波と、交流電流が逆方向に流れる負の半波とが等しくならない。そのため図６のように、通電半波数が偶数であるパターンは、制御単位パターンを８波（１６半波）にし、通電半波数が奇数であるパターンは、１制御単位パターンを１６波（３２半波）にすることで正と負の通電半波数を等しくすることができる。
【００２０】
以上のように、実施例１によれば、交流電流が正方向に流れる正の半波と、交流電流が逆方向に流れる負の半波とを完全に等しくすることができるため、消費する交流電流に直流成分を含まなくなり、電源設備のトランスの異常発熱を防止することができる。また、加熱体と制御回路を背具属するコネクタの接点部に生じるマイグレーションを防止することができる。さらに、負荷が小さくなることにより、電流波形の歪みが小さくなり電力効率を向上させることができる。
【実施例２】
【００２１】
実施例１では、制御単位パターンを複数もち、制御単位パターンの通電半波数を偶数にし、それにあわせて電力量が一致するような所定半波数を算出することにより、電力量を保ちつつ、交流電流が正方向に流れる正の半波と、交流電流が逆方向に流れる負の半波を等しくする方法について説明した。実施例２では制御単位パターンを一定に保ちつつ、交流電流が正方向に流れる正の半波と、交流電流が逆方向に流れる負の半波を等しくする方法について述べる。
【００２２】
本実施例で用いる構成を示すブロック図、画像形成装置の開略構成を示す断念図、加熱定着器の断面図、商用電源の電圧とヒータの電流波形は、第１の実施例の図１、図２、図３、図４に示されるので、ここでは説明は省略する。
【００２３】
図７は、ヒータに通電する通電テーブルとヒータの消費電力の関係を示した図である。ヒータの発熱量を１７段階に分けてヒータの通電量を制御できるように商用電源の８波長（１６半波）をひとまとまりの所定半波数として制御単位パターンを設定し、ヒータの温度を読み込んで所望の温度になるようにヒータの通電量を決定して、その制御単位パターンに従って制御信号をＯＮ／ＯＦＦしヒータに流す電流を制御する。単位パターンのうち、通電半波数が偶数であるパターンについては、正の半波と負の半波の数が等しくなるようにし、Ｉ（ｎ）とＪ（ｎ）のパターンは同じに設定する。通電半波数が奇数であるパターンについては、ゼロクロスの立下りエッジからスタートした場合には、Ｉ（ｎ）のテーブルには正の半波が負の半波より１つ多く通電するように設定し、Ｊ（ｎ）のテーブルには負の半波が正の半波より１つ多く通電する設定する。
【００２４】
図８は交流電流が正方向に流れる正の半波と、交流電流が逆方向に流れる負の半波とを等しくする通電するための動作フローである。プリントが開始されると、定着器を加熱するために、定着温調制御手段によってヒータ電流の通電が開始される（Ｓ１０１）。複数の単位パターンのうち、奇数のパターンについては、ゼロクロスの立下りエッジからスタートした場合には、Ｉ（ｎ）のテーブルには正の半波が負の半波より１つ多く通電するように設定し、Ｊ（ｎ）のテーブルには負の半波が正の半波より１つ多く通電するように設定する。通電開始から通電終了までの間、奇数通電テーブルが選択されるごとに、定着温調制御手段はＩ（ｎ）とＪ（ｎ）のテーブルを切り替えて使う制御を行う（Ｓ１０３）。電力制御が終了すると通電も終了する（Ｓ１０４）。
【００２５】
以上のように、この実施例２によれば、交流電流が正方向に流れる正の半波と、交流電流が逆方向に流れる負の半波とを等しくすることができるため、消費する交流電流に直流成分を含まなくなり、電源設備のトランスの異常発熱を防止することができる。また、加熱体と制御回路を接続するコネクタの接点部に生じるマイグレーションを防止することができる。さらに、負荷が小さくなることにより、電流波形の歪みが小さくなり電力効率を向上させることができる。
【実施例３】
【００２６】
実施例２では制御単位パターンを一定に保ちつつ、交流電流が正方向に流れる正の半波と、交流電流が逆方向に流れる負の半波を等しくする方法について述べた。実施例３では正の半波の波数と負の半波が完全に一致する制御について説明する。
【００２７】
本実施例で用いる構成を示すブロック図、画像形成装置の開略構成を示す断念図、加熱定着器の断面図、商用電源の電圧とヒータの電流波形は、第１、２の実施例の図１、図２、図３、図４に示されるので、ここでは説明は省略する。また、ヒータに通電する通電テーブルとヒータの消費電力の関係を示した図は実施例２の図７に示されるので、ここでは説明は省略する。
【００２８】
図９は交流電流が正方向に流れる正の半波と、交流電流が逆方向に流れる負の半波とを等しくする通電するための動作フローである。プリントが開始されると、定着器を加熱するために、定着温調制御手段によってヒータ電流の通電が開始される（Ｓ２０１）。まず、奇数通電テーブルが選択された場合に反転する奇数通電テーブル選択フラグを初期化するためにＯＦＦする（Ｓ２０２）。通電開始の際には、通電半波数が奇数であるパターンにおいて、ゼロクロスの立下りエッジからスタートした場合にはＩ（ｎ）のテーブルには正の半波が負の半波より１つ多くなるように設定し、Ｊ（ｎ）のテーブルには負の半波が正の半波より１つ多くなるように設定する（Ｓ２０３）。通電開始から通電終了までの間、奇数通電テーブルが選択されるごとに、奇数通電テーブル選択フラグを反転させる（Ｓ２０４，Ｓ２０５，Ｓ２０６）。通電終了後、もし奇数通電テーブル選択フラグがＯＮである場合、正の半波が１半波多いことを示しているので、正と負の通電半波数を等しくするために、負の半波を１半波通電して終了する（Ｓ２０８）。上記奇数通電選択フラグの変わりにカウンタを使用しても、交流電流が正方向に流れる正の半波と、交流電流が逆方向に流れる負の半波とを等しくすることができる。奇数通電テーブルが選択されるごとにカウンタをインクリメントしていき、通電終了後にカウンタが奇数だった場合、負の半波を１半波通電すればよい。
【００２９】
以上のように、この実施例３によれば、交流電流が正方向に流れる正の半波と、交流電流が逆方向に流れる負の半波とを完全に等しくすることができるため、消費する交流電流に直流成分をふくまなくなり、電源設備のトランスの異常発熱を防止することができる。また、加熱体と制御回路を背具属するコネクタの接点部に生じるマイグレーションを防止することができる。また、最後に半波出力する制御により、実施例１のように電力の切り替え周期（１制御単位）を変えることなく制御を行うことが可能であるため、応答性のよい電力制御が実現できる。
【図面の簡単な説明】
【００３０】
【図１】本発明に関する構成を示すブロック図である。
【図２】本発明に用いた適用可能なカラー画像形成装置の一実施例の概略構成図である。
【図３】加熱定着器の断面図である。
【図４】商用電源の電圧とヒータの電流波形の関係を示す図である。
【図５】ヒータに通電する通電テーブルとヒータの消費電力の関係を示す図である。
【図６】ヒータに通電する通電テーブルとヒータの消費電力の関係を示す図である。
【図７】ヒータに通電する通電テーブルとヒータの消費電力の関係を示す図である。
【図８】交流電流が正方向に流れる正の半波と、交流電流が逆方向に流れる負の半波とを等しく通電するための動作フローである。
【図９】交流電流が正方向に流れる正の半波と、交流電流が逆方向に流れる負の半波とを完全に等しく通電するための動作フローである。
【符号の説明】
【００３１】
１１    転写材搬送手段
１１ａ  転写搬送ベルト
１１ｂ  転写搬送ベルト駆動ローラ
１１ｃ、１１ｄ、１１ｅ  転写搬送ベルト従動ローラ
１６    現像離間板
１０１  感光体ドラム
１０２  転写装置
１０３  現像ローラ
１０４  帯電ローラ
１０６  像書き込み装置
１０８  スキャナユニット
１４１  レジセンサ
１５０  給紙部
１５１  ピックアップローラ
１５２  定着ユニット
１５３  吸着ローラ
１５４  定着フィルム部
１５５  加圧ローラ
１５６  ヒータホルダ
１５８  定着フィルム
２００  本体主制御部
２０４  ヒータ駆動回路、
２０５  ゼロクロス検知回路
２０８  トライアック
２１０  ヒータ
２１１  サーミスタ
【図１】
2006235305.tif 000003
【図２】
2006235305.tif 000004
【図４】
2006235305.tif 000005
【図８】
2006235305.tif 000006
【図９】
2006235305.tif 000007
【図３】
2006235305.tif 000008
【図５】
2006235305.tif 000009
【図６】
2006235305.tif 000010
【図７】
2006235305.tif 000011